(57)【要約】  本体（５）の組み立て品（１）は、活性気体物質を放出する液体または固体状態の薬剤と、本体用の第１ホルダ（２）とを有し、第１ホルダ（２）は本体（５）を内部に収容する収容空間を有しており、収容空間の境界の一部であって、収容空間の境界を定めている部分が少なくとも部分的には透明または半透明の材料で作られている第１壁を有している。
2007525271.tif 000002
【特許請求の範囲】
【請求項１】
本体の組み立て品であって、活性気体物質を放出する液体または固体状態の薬剤と、前記本体用の第１ホルダとを有し、前記第１ホルダは、前記本体を内部に収容する収容空間を有するとともに、前記収容空間の境界の一部であって、前記収容空間の境界を定めている部分が少なくとも部分的には透明または半透明の材料で作られている第１壁を有している、組み立て品。
【請求項２】
前記収容空間の境界を定めている前記第１ホルダの前記第１壁の前記部分は大部分が透明または半透明の材料で作られている、請求項１に記載の組み立て品。
【請求項３】
前記収容空間の境界を定めている前記第１ホルダの前記第１壁の前記部分はすべてが透明または半透明の材料で作られている、請求項２に記載の組み立て品。
【請求項４】
前記材料は透明であり、好ましくはガラスである、請求項１、２、または３に記載の組み立て品。
【請求項５】
前記第１壁全体が透明または半透明の材料で作られている、請求項１から４のいずれか１項に記載の組み立て品。
【請求項６】
前記本体は液体または固体の薬剤が満たされている第２ホルダから成る、請求項１から５のいずれか１項に記載の組み立て品。
【請求項７】
前記第１ホルダは直立状態での配置に適しており、前記第１壁の少なくとも下部は透明である、請求項１、２、または６に記載の組み立て品。
【請求項８】
前記第１ホルダは前記収容空間の前記境界の一部である第２壁を有している、請求項１から７のいずれか１項に記載の組み立て品。
【請求項９】
前記第１と第２の壁には互いに接続するために協働する手段が備わっている、請求項８に記載の組み立て品。
【請求項１０】
前記接続の手段はスナップ作用によって動作する、請求項９に記載の組み立て品。
【請求項１１】
前記接続の手段は使用者の手によって分離できない接続を構成している、請求項９または１０に記載の組み立て品。
【請求項１２】
前記第２壁は合成材料から作られている、請求項８から１１のいずれか１項に記載の組み立て品。
【請求項１３】
前記第２壁は柔軟材料から作られている、請求項８から１２のいずれか１項に記載の組み立て品。
【請求項１４】
前記第２壁には前記活性気体物質を前記収容空間から通過させることができる複数の開口が備わっている、請求項８から１３のいずれか１項に記載の組み立て品。
【請求項１５】
前記第２壁は前記収容空間から離れて面する側が凹面である、請求項１４に記載の組み立て品。
【請求項１６】
前記第２壁の前記凹面側には前記活性気体物質を前記収容空間から通過させることができる複数の開口が備わっている、請求項１５に記載の組み立て品。
【請求項１７】
前記第２ホルダは前壁と後壁とを有しており、それらの間に前記活性気体物質の貯蔵部を定めており、前記前壁は少なくとも部分的に、好ましくは少なくとも下側部分に関して、好ましくは全体が、透明または半透明の材料、好ましくは透明の材料で作られている、請求項６から１６のいずれか１項に記載の組み立て品。
【請求項１８】
前記後壁は液体状態の前記薬剤によって湿らせられる材料、好ましくは合成薄膜で作られており、好ましくは透明または半透明である、請求項１７に記載の組み立て品。
【請求項１９】
使用前に前記後壁は被覆層によって密封されており、被覆層はそれを前記後壁から剥離する剥離手段を備え、前記後壁の周辺縁に引き剥がせるように好ましく取り付けられている、請求項１８に記載の組み立て品。
【請求項２０】
前記剥離手段はタブから成る、請求項１９に記載の組み立て品。
【請求項２１】
前記タブは前記被覆層にその縁領域の位置で接続されている、請求項２０に記載の組み立て品。
【請求項２２】
前記タブは前記後壁から突き出している、請求項２０または２１に記載の組み立て品。
【請求項２３】
前記第１ホルダは、前記収容空間から外側へ延びている前記タブの通路を定めている、請求項２２に記載の組み立て品。
【請求項２４】
前記第２ホルダには、耐久性のあるリップが備わっており、前記第１ホルダには前記リップが貫通して延びる通路が備わっている、請求項１７から２２のいずれか１項に記載の組み立て品。
【請求項２５】
前記第１ホルダは、前記収容空間から外側への前記第２ホルダ用の通路を定めている、請求項２２または２３に記載の組み立て品。
【請求項２６】
前記通路は前記第１と第２の壁の間に形成されている、請求項２３、２４、または２５、または、請求項８から１６のいずれか１項に記載の組み立て品。
【請求項２７】
前記通路は前記第１壁内の窪みによって形成されており、さらに前記第２壁によって境界が定められている、請求項２６に記載の組み立て品。
【請求項２８】
前記第１ホルダには基部上で前記第１ホルダを直立状態に支持する支持表面が備わっている、請求項１から２７のいずれか１項に記載の組み立て品。
【請求項２９】
前記第２ホルダは実質的に円盤形状であり、好ましくはフランジを有している、請求項６から２８のいずれか１項に記載の組み立て品。
【請求項３０】
前記第１ホルダは実質的に平坦である、請求項１から２７のいずれか１項に記載の組み立て品。
【請求項３１】
活性気体物質を放出する液体または固体状態の、芳香剤のような薬剤のホルダであって、両者の間で活性剤の貯蔵部を定める前壁と後壁とを有し、前記前壁は少なくとも部分的に、好ましくは全体が透明または半透明の材料、好ましくは透明の材料で作られている、ホルダ。
【請求項３２】
前記前壁は非透過性材料で作られている、請求項３１に記載のホルダ。
【請求項３３】
前記後壁は液体状態の前記薬剤によって湿らせられる材料で作られており、好ましくは合成薄膜であり、好ましくは透明または半透明である、請求項３１または３２に記載のホルダ。
【請求項３４】
使用前に前記後壁は被覆層によって密封されており、被覆層はそれを前記後壁から剥離する剥離手段を備えていて、周辺縁で前記後壁に剥離可能に好ましく取り付けられており、前記剥離手段は好ましくはタブから成る、請求項３３に記載のホルダ。
【請求項３５】
前記タブは前記被覆層にその縁領域の位置で接続されており、前記縁領域は好ましくはフランジを構成している、請求項３４に記載のホルダ。
【請求項３６】
ホルダを支持できるリップを有し、前記被覆層は好ましくは前記リップの位置であらかじめ剥離されている、請求項３１から３５のいずれか１項に記載のホルダ。
【請求項３７】
複数の前記ホルダが複数の破壊可能な接続部分によって互いに接続されている、請求項３１から３６のいずれか１項に記載の組み立て品。
【請求項３８】
請求項３３、３４、または３５のホルダによる場合、複数の破壊可能な接続部分は複数の前記タブから分離されている、請求項３６に記載の組み立て品。
【請求項３９】
いくつかのホルダが被覆層上に保存状態で配置されている、請求項３１から３６のいずれか１項に記載のホルダの組み立て品。
【請求項４０】
前記いくつかのホルダを備えている前記被覆層はキャリア上、例えばシート形状のキャリア上に配置されている、請求項３９に記載の組み立て品。
【請求項４１】
前記後壁と前記前壁とは互いに取り付けられている一方で、充填用開口は最初は液体芳香剤に対して開放しており、前記充填用開口はその後密閉される、請求項３１から３６のいずれかに記載のホルダ。
【請求項４２】
前記ホルダは実質的に円盤形状であって、好ましくは長方形である、請求項３１から３６のいずれか１項に記載のホルダ。
【請求項４３】
本体の組み立て品であって、活性気体物質を放出する液体または固体状態の薬剤と、前記本体用の第１ホルダとを有し、前記第１ホルダは、前記本体を内部に収容する収容空間を有しており、前記本体は、間に液体であることが好ましい活性物質の貯蔵部を定めている複数の壁を有する第２ホルダのように構成されており、前記複数の壁の少なくとも１つは液体状態の前記薬剤によって湿らせられる材料、好ましくは合成薄膜で作られており、使用前の前記壁は被覆層によって密封されており、被覆層はそれを前記壁から剥離する剥離手段を備えており、前記剥離手段は前記第１ホルダを超えて延びている、組み立て品。
【請求項４４】
前記剥離手段はタブから成り、前記タブは前記被覆層にその縁領域の位置で接続されている、請求項４３に記載の組み立て品。
【請求項４５】
前記タブは前記被覆層に対して折り畳むことができる、請求項４３または４４に記載の組み立て品。
【請求項４６】
前記壁は前記第２ホルダの後壁を構成している、請求項４３、４４、または４５に記載の組み立て品。
【請求項４７】
前記タブは引き剥がせるように前記後壁の周辺縁に取り付けられている、請求項４６に記載の組み立て品。
【請求項４８】
前記タブは折り畳まれた状態で前記後壁から突き出している、請求項４７に記載の組み立て品。
【請求項４９】
前記第１ホルダは、好ましくは前記タブを備えている前記被覆層のために前記収容空間から外部へ延びている前記タブの通路を定めている、請求項４３から４８のいずれか１項に記載の組み立て品。
【請求項５０】
前記第２ホルダの前記複数の壁は透明または半透明である、請求項４３から４９のいずれか１項に記載の組み立て品。
【請求項５１】
本体の組み立て品であって、活性気体物質を放出する液体または固体状態の薬剤と、前記本体用の第１ホルダとを有し、前記第１ホルダは前記本体を内部に収容する収容空間を有しており、前記本体は間に液体であることが好ましい活性物質の貯蔵部を定めている複数の壁を有する第２ホルダのように構成されており、前記複数の壁の少なくとも１つは液体状態の前記薬剤によって湿らせられる材料で作られており、前記第２ホルダにはリップが備わっており、前記第１ホルダは前記収容空間と外部との間の通路を形成しており、前記リップは前記通路を通って延びており、前記通路は前記第２ホルダが貫通できるように寸法が定められている、組み立て品。
【請求項５２】
請求項１から３０のいずれか１項に記載の組み立て品の前記第２ホルダとして使用することが適しており、またそれを意図したホルダ。
【請求項５３】
本体の組み立て品であって、活性気体物質を放出する液体または固体状態の薬剤と、前記本体用の第１ホルダとを有し、前記第１ホルダは前記本体を内部に収容する収容空間を有しており、前記第１ホルダは、互いに取り付けられ、間に前記収容空間の少なくとも一部を定めている２つの部分を有しており、前記２つの部分は異なる材料で作られている、組み立て品。
【請求項５４】
前記第１部分は形状を維持している固い材料で作られており、前記第２部分は合成材料で作られている、請求項５３に記載の組み立て品。
【請求項５５】
前記第１部分はガラスで作られている、請求項５４に記載の組み立て品。
【請求項５６】
前記第２部分は熱可塑性合成材料で作られている、請求項５４または５５に記載の組み立て品。
【請求項５７】
前記第２部分は、前記第１部分へ、スナップ作用によって接続する、弾性変形可能な接続手段を備えている、請求項５３から５６のいずれか１項に記載の組み立て品。
【請求項５８】
添付の明細書に記載および／または添付の図面に図示されている１つまたは２つ以上の特徴のある手段を備えた組み立て品。
【請求項５９】
添付の明細書に記載および／または添付の図面に図示されている１つまたは２つ以上の特徴のある手段を備えたホルダ。
【発明の詳細な説明】
【技術分野】
【０００１】
本発明は、ホルダ内に収容された液体または固体の薬剤からの活性気体物質を放出する装置に関する。そのような装置は、たとえば芳香剤に使用される。
【背景技術】
【０００２】
直立状態で配置され、収容空間を定めている前壁と後壁とを有している、合成材料のホルダの組み立て品がよく知られており、ホルダにはホルダの前壁の開口を通してホルダから放出することができる芳香ガスを放出する固体が配置されている。
【発明の開示】
【発明が解決しようとする課題】
【０００３】
収容空間内の固体の状態を確定するのは困難である。現在の固体の大きさの手がかりを得るには、ホルダを持ち上げてその重量に基づくか、ホルダを振ってみなければならない。しかし、初期状態についての基準となるものがないため、残りの寿命を推定することができない。
【０００４】
本発明の目的は、これらの点の少なくとも１つを改善することである。
【課題を解決するための手段】
【０００５】
そのため、本発明の一実施態様は、本体の組み立て品であって、活性気体物質を放出する液体または固定状態の薬剤と、本体用の第１ホルダとを有し、第１ホルダは本体を内部に収容する収容空間を有するとともに、収容空間の境界の一部であって収容空間の境界を定めている部分が少なくとも部分的には透明または半透明の材料で作られている第１壁を有している、組み立て品を提供する。これにより、収容空間内に収容されている本体の（保存）状態に関する指標を一目で知ることができる。このような状況では、ホルダを動かす必要はない。保存物は、ユーザによって適時交換することができる。
【０００６】
保存物をより知覚しやすくするには、収容空間の境界を定めている第１ホルダの第１壁の部分の大部分を透明または半透明の材料で作ることが好ましい。収容空間の境界を定めている第１ホルダの第１壁の部分はすべてが透明または半透明の材料で作られていることが望ましい。
【０００７】
内容物の知覚しやすさは、上記の材料が透明で、好ましくはガラスであるときに最適となる。ガラス材料によって、組み立て品が頑丈に見えるようになる。
【０００８】
本発明の組み立て品は、第１壁全体が透明または半透明の材料で作られたときに、建物の内装により適したものになる。
【０００９】
本発明の組み立て品のさらなる発展態様において、本体は液体または固体の薬剤が満たされている第２ホルダからなる。第２ホルダは、別個に保存、供給でき、第１ホルダの製造後に収容空間に配置することが容易である。したがって、第２ホルダは、第１ホルダの第１壁の汚染、ひいては透明性または半透明性の低下を防止することができる。
【００１０】
第１ホルダは、直立状態での配置に適しており、第１壁の少なくとも下部が透明であることが望ましく、これは、液体の最後の残留部分が最下点に移動し、その位置で見えるため、液体活性剤の場合に特に有利である。
【００１１】
さらなる発展態様においては、第１ホルダは収容空間の境界の一部である第２壁を有している。第１と第２の壁には、互いに接続するために協働する手段が備わっていてもよく、それらの手段はスナップ作用によって動作することが望ましい。
【００１２】
たとえば、組み立て品が床に落下し、それに伴い活性剤が漏れたときなど、収容空間が不注意に開くことを防止するために、一実施態様の接続手段は、使用者が手で解除できない接続を構成している。
【００１３】
第２壁は、合成材料および／または柔軟材料で作られていることが望ましい。（第１壁の後ろで）見えないようにしておくことができるそのような第２壁は、安価に作ることができるのに対して、第１壁はより高価な、より固い材料（たとえばガラス）で作ることができる。柔軟性によって、第１壁への接続が促進される。
【００１４】
第２壁には、気体状態の活性物質を収容空間から通過させられる複数の開口が備わっていることが望ましい。これらの開口は、合成材料に容易に作ることができる。第２壁の開口の位置によって、活性剤が第１壁の前側に到達するために通過しなければならない経路が長くなり、その結果、活性剤がそこに到達したときにより大きな範囲に分散していることになる。
【００１５】
第２壁は収容空間から離れて面する側で凹面であって、気体状態の活性物質を収容空間から通過させられる複数の開口が凹面側に備わっているときに、薬剤の分散を促進することができる。
【００１６】
さらなる発展態様では、第２ホルダは前壁と後壁とを有しており、それらの間に活性物質の貯蔵部を画成しており、前壁は少なくとも部分的に、好ましくは少なくとも下側部分に関して、望ましくは全体が、透明または半透明の材料、望ましくは透明の材料で作られている。したがって、保存物の状態がより知覚しやすくなる。
【００１７】
その後壁は、液体状態の薬剤によって湿らせることができる材料で作ることができる。薬剤は、前記の後壁を通して漏出することはない。しかし、活性物質は、ホルダつまり組み立て品から蒸発することはできる。特にその結果、薬剤は完全に蒸発する。後壁は合成箔で作られている。後壁は、たとえば第１ホルダの複数の開口を備えた第２壁の前に配置することができる。一実施態様では、後壁も透明または半透明であり、そのため、保存物がさらに知覚しやすくなる。
【００１８】
後壁から剥離するための剥離手段を備え、引き剥がせるように後壁の周辺縁に取り付けられていることが好ましい被覆層によって、後壁は使用前に密閉されていてもよい。ここでは、剥離手段は、被覆層を容易に剥離できるようにタブからなることが好ましい。
【００１９】
タブは、被覆層にその縁領域の位置で接続されていることが望ましい。したがって、タブは、引く動きが被覆層に確実に伝わるように、被覆層から一体の連続部分を形成している。一実施態様では、タブは被覆層に対して折り畳まれている。タブが被覆層に対して折り畳まれている状態では、収容空間が閉じた状態でタブがつまめるようにタブは後壁から突き出していることが特に好ましい。それから、被覆層は、組み立て品の使用可能状態で取外すことができる。こうして、使用前には、被覆層によって活性物質を事前に放出させることなく、組み立て品をすぐに使える状態で保管することができる。一実施態様では、タブはたとえば前壁の材料によって補強されている。これにより、タブの破損が防止されている。
【００２０】
第１のホルダは、収容空間から外部に延びるタブの通路を画成していることが好ましい。一実施態様では、通路はタブを含む被覆層全体を通過させるのに適している。タブは、容易につまんで、それから第１ホルダから通路を通して被覆層に沿って引き出すことができる。
【００２１】
製造の観点からは、前記の通路は第１壁と第２壁との間に形成されていることが好ましい。
【００２２】
タブおよび被覆層の引き剥がしは、収容空間内の第２ホルダが、前記通路の近くにある第２ホルダ用の停止部を画成しているときに促進される。
【００２３】
一実施態様では、第２ホルダには、第１ホルダ内の通路を通って延びている耐久性のあるリップが備わっている。通路は、第２ホルダが通路を通過できるように第２ホルダの寸法に適合していることが好ましい。したがって、第２ホルダは使用後に第１ホルダを開けずに第１ホルダから引き出すことができる。
【００２４】
第１ホルダには基盤上で第１ホルダを直立状態に支持する支持表面が備わっていることが好ましい。
【００２５】
一実施態様では、第２ホルダは実質的に円盤状で、フランジを備えていることが好ましい。フランジには、被覆層の取り付け用の縁領域としての役割だけでなく、第２ホルダのための配置補助としての役割もある。それから、フランジは第１ホルダの第１壁の裏側に接触してもよい。
【００２６】
第１ホルダは実質的に平坦であってもよい。
【００２７】
さらなる態様によれば、本発明は、活性気体物質を放出する液体または固体状態の薬剤（例えば芳香剤）のホルダであって、両者の間で活性剤の貯蔵部を画成する前壁と後壁とを有し、前壁は少なくとも部分的に、好ましくは全体が透明または半透明の材料、好ましくは透明の材料で作られている、ホルダを提供する。前壁は、非透過性材料で作られていることが好ましい。
【００２８】
後壁は液体状態の薬剤によって湿らせられる材料で作られていることが好ましい。このようにして、ホルダから薬剤を漏出させることなく活性物質を放出することができる。一実施態様では、さらに後壁も透明または半透明である。使用前に後壁は被覆層によって密封されていてもよく、被覆層はそれを後壁から剥離するための剥離手段を備え、被覆層の周辺縁の位置で剥離可能に後壁に取り付けられていることが好ましい。剥離手段はタブから成っていてもよい。タブは、被覆層にその縁領域の位置で接続することができる。タブは被覆層に対して折り畳むことができる。タブは、被覆層に対して折り畳まれている状態で、後壁から突き出していてもよい。さらに、タブはたとえば前壁が作られている材料によって補強されていてもよい。
【００２９】
後壁と前壁とは互いに取り付けられている一方で、最初は液体芳香剤のための充填用開口は開放されており、その後充填用開口が密閉される。ホルダは実質的に円形などの円盤形状であって、フランジ形状の周辺縁を有していてもよい。
【００３０】
一実施態様では、ホルダはホルダを持つことができるリップを有している。リップの位置で、そこから被覆層を分離できるように、被覆層はあらかじめ剥がしておくことができる。
【００３１】
ホルダのさらなる実施態様では、いくつかのホルダが被覆層上に保存状態で配置されている。必要なホルダを、リップをつまむことによって、（より大きな）被覆層から取り外すことができる。いくつかのホルダを有している被覆層は、シート状キャリアなどのキャリア上に配置することができる。
【００３２】
他の実施態様では、保存状態の複数のホルダは、破断可能な、強度を低下させた複数の線によって互いに結合されている。
【００３３】
さらなる態様によれば、本発明は、本体の組み立て品であって、活性気体物質を放出する液体または固体状態の薬剤と、本体用の第１ホルダとを有し、第１ホルダは本体を内部に収容する収容空間を有しており、本体は、壁間に液体であることが好ましい活性物質の貯蔵部を画成している複数の壁を有する第２ホルダのように構成されており、複数の壁の少なくとも１つは液体状態の薬剤によって湿らせられる材料で作られており、使用前の壁は被覆層によって密封されており、被覆層はそれを壁から剥離する剥離手段を備え、剥離手段は第１ホルダを超えて延びている、組み立て品を提供する。したがって、被覆層は、第２ホルダが第１ホルダ内にすでに収容されているときには剥離することができる。湿らせることができる材料によって、活性物質を確実に放出できる。
【００３４】
剥離手段はタブから成っていてもよい。タブは、被覆層にその縁領域の位置で接続することができる。タブは被覆層に対して折り畳むことができる。
【００３５】
一実施態様では、前記の壁は第２ホルダの後壁を構成している。それから、タブは引いて剥離できるように後壁の周辺縁に取り付けられることが好ましい。その場合、タブは折り畳まれた状態で後壁から突き出していてもよい。
【００３６】
第１のホルダは、収容空間から外部に延びているタブ用の通路を画成していることが好ましい。一実施態様では、通路は被覆層全体も通過できるほど広い。
【００３７】
第２ホルダは、少なくとも部分的に、好ましくは少なくとも下側部分に関して、好ましくは全体が、透明または半透明の材料、好ましくは透明の材料で作られている前壁をさらに有していてもよい。一実施態様では、後壁も透明または半透明である。さらに本発明は、本発明の組み立て品の第２ホルダとして使用することが適し、それを意図したホルダを提供する。
【００３８】
さらなる態様によれば、本発明は、本体の組み立て品であって、活性気体物質を放出する液体または固体状態の薬剤と、本体用の第１ホルダとを有し、第１ホルダは本体を内部に収容する収容空間を有しており、本体は、間に液体であることが好ましい活性物質の貯蔵部を定めている複数の壁を有する第２ホルダのように構成されており、複数の壁の少なくとも１つは液体状態の薬剤によって湿らせられる材料で作られており、第２ホルダにはリップが備わっており、第１ホルダは収容空間と外部との間の通路を形成しており、リップは通路を通して延びており、通路は第２ホルダが貫通できるように寸法が定められている、組み立て品を提供する。
【００３９】
さらなる態様によれば、本発明は、本体の組み立て品であって、活性気体物質を放出する液体または固体状態の薬剤と、本体用の第１ホルダとを有し、第１ホルダは本体を内部に収容する収容空間を有しており、第１ホルダは、互いに取り付けられ、間に収容空間の少なくとも一部を画成している２つの部分からなり、２つの部分は異なる材料で作られている、組み立て品を提供する。
【００４０】
一実施態様では、第１部分は形状を維持している固い材料で作られており、第２部分は合成材料で作られている。
【００４１】
第１部分はガラスで作られていることが好ましい。第２部分は熱可塑性合成材料で作ることができる。
【００４２】
第２部分は、第１部分へ、たとえばスナップ作用によって接続する、弾性変形可能な接続手段を備えていてもよい。
【００４３】
本発明を、添付の図面に示している説明のための多数の実施態様に基づいて説明する。
【発明を実施するための最良の形態】
【００４４】
図１に示される組み立て品１は、この場合、透明なガラスの前部３と半透明の熱可塑性合材料の後部４からなる第１ホルダ２を有している。前部３は形状を維持するように固く、後部４はわずかに柔軟性がある。
【００４５】
前部３と後部４との間には、気体として放出可能な活性物質用の第２ホルダ５がある。本明細書では、気体は蒸気の状態も意味する。
【００４６】
図２Ａと２Ｂに示される前部３は、実質的に長方形で、この場合は正方形であって、その後ろに位置していて、盛り上がった周辺境界７が形成されている周辺縁６を有しており、周辺境界７は突き出している角の領域８ａ、８ｂの位置で周辺縁６との隙間９ａ、９ｂを画成している。２つの左側の角では、図からわかるように、両凸部８ａは円弧状で、その下に曲がった隙間９ａを構成している。他の２つの角では、両凸部８ｂは直線の隙間９ｂを構成している直線部分である。
【００４７】
盛り上がった周辺境界７内には、空洞１０があり、その底部１１は凹面である。空洞１０は実質的に円形である。
【００４８】
また、図２Ｂからもわかるように、周辺縁６は、図１からもわかるように支持表面の役割を果たすこともできる複数の平坦な側面１３を有している。前部３の前面１２は凸面であることも、図２Ｂからわかる。
【００４９】
図３Ａ〜Ｃに示されるホルダ５は、上記の空洞１０の形状と寸法に合わせて実質的に円形である。使用前の状態では、第２ホルダ５には、その後側に、箔材料でできており周辺縁１８に沿って、この例では非透過性の透明合成材料からなる平坦な皿１４の円形の周辺縁１９に対してシールされている被覆層１５が備わっている。皿１４は、第２ホルダ５の前壁を形成している。
【００５０】
被覆層１５は、湿らせられる（合成の）薄膜２０（図３Ｃ）を覆っている。この例では、薄膜は、液体、ひいては活性物質が非常にゆっくりと放出されることを保証しており、物質の漏出を防止している。したがって、着色された液体３０が収容されている収容空間２１は、薄膜２０と皿１４との間に画成されている。この例では、液体３０は芳香剤を放出する薬剤である。
【００５１】
収容空間２１は、充填後に符号１７の位置で密封される充填用開口１６を通して充填される。ほぼ反対の側では、被覆層１５はタブ２３に変化しており、タブ２３は、符号２２の位置で被覆層１５のその残りに対して（方向Ａ）平坦に折り畳むことができる。図３Ｂでは、タブ２３は後ろ向きに折り畳まれている。
【００５２】
図１の組み立て品の第１ホルダ２の後部４が図４に示されており、４つの側部２４ａ〜２４ｄを有しており、側部２４ａ〜２４ｃにはこの場合には芳香剤の通路のための複数の開口２６が備わっており、側部２４ｄには前向きの方向には境界を有していない開口２７が備わっている。
【００５３】
側壁２４ａ、２４ｂの間と側壁２４ａ、２４ｃの間の２つの角の位置では、図２Ａに示される前部３の２つの隙間９ａにぱちんと嵌めることができる、曲がった端部２８ａを備えた、高くなっている２つのスナップリップ２８が設けられている。
【００５４】
側壁２４ｂ、２４ｃに沿った、側壁２４ｂ、２４ｄの間と側壁２４ｃ、２４ｄの間の２つの角の位置では、曲がった端部２９ａによって、図２Ａに示される前部３の他の２つの角の隙間９ｂにぱちんと嵌めることができる２つのスナップリップ２９が形成されている。
【００５５】
側壁２４ａ〜２４ｄの間に、前向きの方向に凸状で、そのために反対（後）側では凹状で、複数の開口３１を備えており、寸法に関しては前部３の空洞１０とほぼ同様の円形表面のような壁２５が形成されている。図４に示される例では、側壁２４ａ〜２４ｄの前端は実質的に直線で、１つの平面内に位置している。これらの端は、側壁２４ａ〜２４ｄが壁２５に変化している他方の側で凹状である。
【００５６】
図１に示される組み立て品１の前述の複数の部品が図５Ａに示される組み立て品に組み立てられるときに、ホルダ５は、その前壁１４が空洞１０内に入り、被覆層１５が後ろを向くように、配置される。それからタブ２３が被覆層１５に対して折り畳まれる。タブ２３はその一部２３ａが周辺縁１８を超えて突き出し、つまり側面１３を超えて延びている。その後、後部４が前述のようにリップ２８、２９のスナップ動作によって配置される。これで、ホルダ５を空洞１０内に収容した状態で、後部４が前部３に取り付けられる。これで、タブ２３を備えている被覆層１５が壁２５の内側表面に突き当たる。ここで、タブ２３の端部２３ａが開口２７を通って延びていることが確認される。
【００５７】
そして、図５Ａと５Ｂに示される状態が達成される。その状態で、組み立て品１を小売りすることができる。透明な前部、特に空洞１０の透明な底部１１と第２ホルダ５の透明な前壁１４のために、内容物３０を適切に見ることができる。これは、購入時の選択には役立つに違いない。
【００５８】
使用者は、容易に、タブ２３の突出部２３ａを２本の指でつまみ、それから他方の手で組み立て品１を保持したままで、タブ２３を図５Ａの状態で上向き引くことができる。ここで、ガラスの前部３により、しっかりとした保持が可能になる。折り畳み線２２の近くで、被覆層１５が引き剥がされ、周辺シール１８の位置で接着が外れる。被覆層１５の箔は、１８０°以上前方に引かれ、壁２５の沿って上向きに移動し、引き離される。第２ホルダ５自体は、ホルダ１０の複数の境界によってホルダ１０内に保持されている。柔軟性によって、壁２５はわずかに弾性を有することもある。被覆層１５がほぼ半分引き剥がされたときに、折り畳み線２２は開口２７の領域に到達する。開口２７は、（周辺方向について）被覆層１５の最も広い部分が通過するのに十分な長さを有している。そのため、開口２７の長さＬは、ホルダ５つまり被覆層１５の直径とほぼ同じ大きさである。
【００５９】
さらに引くと、被覆層１５全体が組み立て品１から除去されるまで、被覆層の残りを容易に続けて剥離することができる。剥離された残りが図６Ａ〜Ｃに示される組み立て品であり、この例では、前から見ると（図６Ａ）透明な底部１１、透明な前壁１４、および半透明な後壁４によってさらによく見える薄膜２０を通して見える後側を有している。液体芳香剤は、気体として放出させたり、湿らせることができる薄膜２０を湿らせ、さらに壁２５の複数の開口３１を通して蒸発する液体と共に蒸発させてもよい。組み立て品１は、ガラスの前部３によって基部上にしっかりと立っている。
【００６０】
液体３０がほとんど使用されると、この状態は前側（図６Ａ）で容易に知ることができ、次の組み立て品１を購入すべきかどうか判断することができる。特定の実施形態では、第１ホルダ全体と第２ホルダまでもが無色透明であって、液体が着色されている。まず、液体が種類ごとにそれぞれの色を有している場合、どの液体もしくは活性物質、つまり芳香剤が存在しているのかを即座に知ることができる。さらに、保存状態を適切に知ることができる。
【００６１】
組み立て品の形状によって、組み立て品は直立、横向きまたは吊り下げたときに作動させることができる。液体が満たされた第２ホルダ５からなる本体の代わりに、固体物質の本体を使用することもできることが知られている。この固体の本体は、第１ホルダ２が閉じられたときに、たとえば同様にタブによって取り外すことができる包囲部によって包むことができる。
【００６２】
図７Ａ、７Ｂの組み立て品１０１の第２の実施形態は、この場合も透明なガラスで作られている前部１０３と、半透明の熱可塑性合成材料で作られている後部１０４とからなる第１ホルダ１０２をさらに有している。前部１０３は形状を維持するように固く、後部１０４はわずかに柔軟である。さらに図９Ａ、９Ｂとさらにその他の図面にも示されている第２ホルダ１０５が、前部１０３と後部１０４との間にある。第２ホルダ１０５は、気体として放出できる活性物質３０を収容している。
【００６３】
前部１０３は実質的に正方形であり、凸状前表面１１２と、後側（図８Ｄ参照）の隆起した複数の側部にて複数のリブ１０７ｂ、１０７ｃと複数の隙間１０９とが形成されている多数の側縁部分１０６ｂ、１０６ｃと、を有している。側縁部分１０６ｂ、１０６ｃは、少なくとも前部１０３の複数の垂直な側部の最下部（と任意に底側）に位置している。前部１０３の上側には、ノッチ１０７ａが形成されている。
【００６４】
前部１０３の底側には、凹部１４１を構成している凹状壁部分１４０が中央に存在している。さらに、前部１０３に形成されている空洞１１０に向けて外側から内側に延びている平坦な長い通路１２７（図８Ｂ参照）が同じ側に存在している。
【００６５】
主壁１２５には、後部１０４に複数の開口１３１が備わっている。主壁１２５は、凹状に形成されている。
【００６６】
後部１０４は、周辺壁１２４を有しており、垂直の壁１２４ｂ、１２４ｃと最下部の壁１２４ｄには、曲がった端１２９ｂ、１２９ｃ、１２９ｄが備わっており、図８Ｄに示しているように、複数の側縁部分１０６の位置に形成されている隙間１０９ｂ、１０９ｃ、１０９ｄにぱちんと嵌めることができる。上側では、壁１２４ａは窪み１０７ａ内で支持されている。したがって、後部１０４は、前部１０３に固定されるように、任意に永久に固定されるように、ぱちんと嵌めることができる。
【００６７】
図９Ａ、９Ｂおよび図１０Ａ〜１０Ｄに示されている第２ホルダ１０５は、実質的に正方形であり、周辺フランジ１１９に沿って互いに取り付けられている前壁１１４と後壁１２０とを有している。使用前に、薄膜を構成しており、たとえば液体、ひいては活性物質が内部に徐々に放出される後壁１２０は、周辺フランジ１１９に沿って密封されている、たとえば箔材料の被覆層によって被覆されることになる。
【００６８】
下側では、フランジ１１９が、隙間１４２が配されたリップ１２３によって拡がっている。空洞３０が前壁１１４と後壁１２０との間に、この例では液体１２１用に画成されている。
【００６９】
第２ホルダ１０５の形状と寸法は、第１ホルダ１０２の空洞１１０の形状と寸法に適合している。図７Ａ、７Ｂ、および図８Ａ〜８Ｅからわかるように、リップ１２３は、第２ホルダ１０５が第１ホルダ１０２内に収容されている状態で、窪み１４１内に突き出している、つまり、リップ１２３は底側、つまり第１ホルダ１０２の（安定した）支持表面の下方には延びていないが、（第１ホルダ１０２を持ち上げれば）使用者が手の指でつまむことができる。
【００７０】
第２ホルダ１０５の断面の形状と寸法とは、第２ホルダ１０５が通過できるように通路１２７の形状と寸法に適合している。図８Ｅに示される使用状態では、基部上で支えているリップ１２３は、第２ホルダ１０５が空洞１１０内の位置に確実に維持されるように通路１２７を通って下向きに移動しないようにしている。
【００７１】
第２ホルダ１０５内の液体１２１、ひいては活性剤が使い果たされた時には、使用者は組み立て品１０１を片手で持ち上げ、他方の手の複数の指でリップ１２３をつまみ、第２ホルダ１０５を通路１２７を通して外側まで引く。それから新しい第２ホルダ１０５を逆の順で配置することができる。
【００７２】
図１１Ａ〜１１Ｃでは、第２ホルダ１０５の考え得る構成を示している。この例では、５つの第２ホルダ１０５が、箔シート１５１が一方の側に備わっているキャリヤシート１５０にシールによって取り付けられている。箔シート１５１は、第２ホルダ１０５の内容物１２１、特に活性物質が確実に放出されないようにするために、複数の第２ホルダ１０５の複数のフランジ１１９の少なくとも後ろ側でシールされている。リップ１２３の一部分１２３ａは箔シート１５１にはシールされておらず、キャリヤシート１５０から方向Ａに向けて離れるように曲げるために、爪、その後、指を使って持ち上げることができる。第２ホルダ１０５を継続して持ち上げることによって、フランジ１１９の箔シート１５１への接続部が破壊され、第２ホルダ１０５は、通路１２７内に挿入して、第１ホルダ１０２内に滑り込ませることができるように完全に分離される。
【００７３】
図１２Ａと図１２Ｂは、複数の第２ホルダ２０５を保存する代替の方法を示しており、ホルダ２０５はホルダ１０５とはわずかに異なるように図示されている。複数の第２ホルダ２０５が、複数のフランジ２１９の複数の縁の位置で、ミシン目などの強度を低下させた線２２２によって互いにくっつけられている。最初は、隣接しているホルダの複数のフランジ２１９が互いに１つになっている。第２ホルダ２０５の後壁２２０は、複数のフランジ２１９の周辺にシールされている非透過性の箔２５１で被覆されている。
【００７４】
新しいホルダ２０５が必要になったときに、強度を低下させた線２２２を破断することによって新しいホルダ２０５を一連のホルダから分離することができる。その後、リップ２２３にシールされていない箔シート部分２５１ａがつままれ、第２ホルダ２０５の後壁１２０から図１２Ｂに示されているように（方向Ｂ）剥離される。したがって、後壁２２０がむき出しになり、第２ホルダ２０５を第１ホルダ１０２に通路１２７を通して滑り込ませることができる。
【図面の簡単な説明】
【００７５】
【図１】本発明の組み立て品の典型的な実施形態の斜視分解図である。
【図２Ａ】図１の組み立て品の前部の後ろ側の斜視図である。
【図２Ｂ】図１の組み立て品の前部の側面図である。
【図３Ａ】図１の組み立て品の液体香料放出薬剤用のホルダの背面図である。
【図３Ｂ】図１の組み立て品の液体香料放出薬剤用のホルダの正面図である。
【図３Ｃ】被覆層が剥離されている図３Ａと３Ｂのホルダの図である。
【図４】図１の組み立て品の後部の斜視正面図である。
【図５Ａ】組み立て状態の図１の組み立て品の正面図である。
【図５Ｂ】組み立て状態の図１の組み立て品の背面図である。
【図６Ａ】被覆層が剥離された後の図５Ａと図５Ｂの組み立て品の正面図である。
【図６Ｂ】被覆層が剥離された後の図５Ａと図５Ｂの組み立て品の背面図である。
【図６Ｃ】被覆層が剥離された後の図５Ａと図５Ｂの組み立て品の側面図である。
【図７Ａ】本発明の組み立て品の第２の典型的な実施形態の斜視上面図である。
【図７Ｂ】本発明の組み立て品の第２の典型的な実施形態の斜視底面図である。
【図８Ａ】本発明の組み立て品の正面図である。
【図８Ｂ】図８ＡのＶＩＩＩ  Ｂから見た底面図である。
【図８Ｃ】図８ＡのＶＩＩＩ  Ｃに沿った断面図である。
【図８Ｄ】図８ＡのＶＩＩＩ  Ｄに沿った断面図である。
【図８Ｅ】本発明の組み立て品の背面図である。
【図９Ａ】図７Ａと図７Ｂの組み立て品の液体香料放出薬剤用のホルダの正面図である。
【図９Ｂ】図７Ａと図７Ｂの組み立て品の液体香料放出薬剤用のホルダの背面図である。
【図１０Ａ】図９Ａと図９Ｂのホルダの正面図である。
【図１０Ｂ】図９Ａと図９Ｂのホルダの矢印ＸＢについての詳細図である。
【図１０Ｃ】図９Ａと図９Ｂのホルダの矢印ＸＣについての断面図である。
【図１０Ｄ】図９Ａと図９Ｂのホルダの上面図である。
【図１１Ａ】図９Ａと図９Ｂのいくつかのホルダを有しているキャリアの図である。
【図１１Ｂ】図９Ａと図９Ｂのいくつかのホルダを有しているキャリアの図である。
【図１１Ｃ】図９Ａと図９Ｂのいくつかのホルダを有しているキャリアの図である。
【図１２】図９Ａと図９Ｂの複数のホルダと多少似ているいくつかのホルダの組み立て品の代替の実施形態を示す図である。
【図１】
2007525271.tif 000003
【図２Ａ】
2007525271.tif 000004
【図２Ｂ】
2007525271.tif 000005
【図３Ａ】
2007525271.tif 000006
【図３Ｂ】
2007525271.tif 000007
【図３Ｃ】
2007525271.tif 000008
【図４】
2007525271.tif 000009
【図５Ａ】
2007525271.tif 000010
【図５Ｂ】
2007525271.tif 000011
【図６Ａ】
2007525271.tif 000012
【図６Ｂ】
2007525271.tif 000013
【図６Ｃ】
2007525271.tif 000014
【図７Ａ】
2007525271.tif 000015
【図７Ｂ】
2007525271.tif 000016
【図８Ａ】
2007525271.tif 000017
【図８Ｂ】
2007525271.tif 000018
【図８Ｃ】
2007525271.tif 000019
【図８Ｄ】
2007525271.tif 000020
【図８Ｅ】
2007525271.tif 000021
【図９Ａ】
2007525271.tif 000022
【図９Ｂ】
2007525271.tif 000023
【図１０Ａ】
2007525271.tif 000024
【図１０Ｂ】
2007525271.tif 000025
【図１０Ｃ】
2007525271.tif 000026
【図１０Ｄ】
2007525271.tif 000027
【図１１Ａ】
2007525271.tif 000028
【図１１Ｂ】
2007525271.tif 000029
【図１１Ｃ】
2007525271.tif 000030
【図１２Ａ】
2007525271.tif 000031
【図１２Ｂ】
2007525271.tif 000032
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
本体の組み立て品であって、活性気体物質を放出する液体または固体状態の薬剤と、前記本体用の第１ホルダとを有し、前記第１ホルダには、前記活性気体物質を通す複数の開口が備えられており、前記第１ホルダは、互いに接続するために協働する手段が備えられた第１壁と第２壁を有し、前記第１壁が形状を維持している堅い材料で作られており、前記第２壁が合成および／または柔軟性の材料から作られており、前記第１壁および第２壁は前記本体を内部に収容する収容空間を定めており、前記第１壁は、前記収容空間の境界を定めている部分が少なくとも部分的には透明または半透明の材料で作られている、組み立て品。
【請求項２】
前記収容空間の境界を定めている前記第１ホルダの前記第１壁の前記部分は大部分が透明または半透明の材料で作られている、請求項１に記載の組み立て品。
【請求項３】
前記収容空間の境界を定めている前記第１ホルダの前記第１壁の前記部分はすべてが透明または半透明の材料で作られている、請求項２に記載の組み立て品。
【請求項４】
前記材料は透明であり、好ましくはガラスである、請求項１、２、または３に記載の組み立て品。
【請求項５】
前記第１壁全体が透明または半透明の材料で作られている、請求項１から４のいずれか１項に記載の組み立て品。
【請求項６】
前記本体は液体または固体の薬剤が満たされている第２ホルダから成る、請求項１から５のいずれか１項に記載の組み立て品。
【請求項７】
前記第１ホルダは直立状態での配置に適しており、前記第１壁の少なくとも下部は透明である、請求項１、２、または６に記載の組み立て品。
【請求項８】
前記接続の手段はスナップ作用によって動作する、請求項１から７のいずれか１項に記載の組み立て品。
【請求項９】
前記接続の手段は使用者の手によって分離できない接続を構成している、請求項１から８のいずれか１項に記載の組み立て品。
【請求項１０】
前記第２壁には前記活性気体物質を前記収容空間から通過させることができる複数の開口が備わっている、請求項１から９のいずれか１項に記載の組み立て品。
【請求項１１】
前記第２壁は前記収容空間から離れて面する側が凹面である、請求項１０に記載の組み立て品。
【請求項１２】
前記第２壁の前記凹面側には前記活性気体物質を前記収容空間から通過させることができる複数の開口が備わっている、請求項１１に記載の組み立て品。
【請求項１３】
前記第２ホルダは前壁と後壁とを有しており、それらの間に前記活性気体物質の貯蔵部を定めており、前記前壁は少なくとも部分的に、好ましくは少なくとも下側部分に関して、好ましくは全体が、透明または半透明の材料、好ましくは透明の材料で作られている、請求項６から１２のいずれか１項に記載の組み立て品。
【請求項１４】
前記後壁は液体状態の前記薬剤によって湿らせられる材料、好ましくは合成薄膜で作られており、好ましくは透明または半透明である、請求項１３に記載の組み立て品。
【請求項１５】
使用前に前記後壁は被覆層によって密封されており、被覆層はそれを前記後壁から剥離する剥離手段を備え、前記後壁の周辺縁に引き剥がせるように好ましく取り付けられている、請求項１４に記載の組み立て品。
【請求項１６】
前記剥離手段はタブから成る、請求項１５に記載の組み立て品。
【請求項１７】
前記タブは前記被覆層にその縁領域の位置で接続されている、請求項１６に記載の組み立て品。
【請求項１８】
前記タブは前記後壁から突き出している、請求項１６または１７に記載の組み立て品。
【請求項１９】
前記第１ホルダは、前記収容空間から外側へ延びている前記タブの通路を定めている、請求項１８に記載の組み立て品。
【請求項２０】
前記第２ホルダには、耐久性のあるリップが備わっており、前記第１ホルダには前記リップが貫通して延びる通路が備わっている、請求項１３から１８のいずれか１項に記載の組み立て品。
【請求項２１】
前記第１ホルダは、前記収容空間から外側への前記第２ホルダ用の通路を定めている、請求項１８または１９に記載の組み立て品。
【請求項２２】
前記通路は前記第１と第２の壁の間に形成されている、請求項１９、２０、または２１に記載の組み立て品。
【請求項２３】
前記通路は前記第１壁内の窪みによって形成されており、さらに前記第２壁によって境界が定められている、請求項２２に記載の組み立て品。
【請求項２４】
前記第１ホルダには基部上で前記第１ホルダを直立状態に支持する支持表面が備わっている、請求項１から２３のいずれか１項に記載の組み立て品。
【請求項２５】
前記第２ホルダは実質的に円盤形状であり、好ましくはフランジを有している、請求項６から２４のいずれか１項に記載の組み立て品。
【請求項２６】
前記第１ホルダは実質的に平坦である、請求項１から２５のいずれか１項に記載の組み立て品。
【請求項２７】
活性気体物質を放出する液体または固体状態の、芳香剤のような薬剤のホルダであって、両者の間で活性剤の貯蔵部を定める前壁と後壁とを有し、前記前壁は少なくとも部分的に、好ましくは全体が透明または半透明の材料、好ましくは透明の材料で作られている、ホルダ。
【請求項２８】
前記前壁は非透過性材料で作られている、請求項２７に記載のホルダ。
【請求項２９】
前記後壁は液体状態の前記薬剤によって湿らせられる材料で作られており、好ましくは合成薄膜であり、好ましくは透明または半透明である、請求項２７または２８に記載のホルダ。
【請求項３０】
使用前に前記後壁は被覆層によって密封されており、被覆層はそれを前記後壁から剥離する剥離手段を備えていて、周辺縁で前記後壁に剥離可能に好ましく取り付けられており、前記剥離手段は好ましくはタブから成る、請求項２９に記載のホルダ。
【請求項３１】
前記タブは前記被覆層にその縁領域の位置で接続されており、前記縁領域は好ましくはフランジを構成している、請求項３０に記載のホルダ。
【請求項３２】
ホルダを支持できるリップを有し、前記被覆層は好ましくは前記リップの位置であらかじめ剥離されている、請求項２７から３１のいずれか１項に記載のホルダ。
【請求項３３】
請求項２７から３２のいずれか１項に記載の複数の前記ホルダの組み立て品であって、複数の前記ホルダが複数の破壊可能な接続部分によって互いに接続されている、組み立て品。
【請求項３４】
請求項３３に記載の組み立て品であって、請求項２９、３０、または３１のホルダによる場合、複数の破壊可能な接続部分は複数の前記タブから分離されている、組み立て品。
【請求項３５】
請求項２７から３２のいずれか１項に記載の複数の前記ホルダの組み立て品であって、いくつかのホルダが被覆層上に保存状態で配置されている、組み立て品。
【請求項３６】
前記いくつかのホルダを備えている前記被覆層はシート形状のキャリア上に配置されている、請求項３５に記載の組み立て品。
【請求項３７】
前記後壁と前記前壁とは互いに取り付けられている一方で、充填用開口は最初は液体芳香剤に対して開放しており、前記充填用開口はその後密閉される、請求項２７から３２のいずれかに記載のホルダ。
【請求項３８】
前記ホルダは実質的に円盤形状であって、好ましくは長方形である、請求項２７から３２のいずれか１項に記載のホルダ。
【請求項３９】
本体の組み立て品であって、活性気体物質を放出する液体または固体状態の薬剤と、前記本体用の第１ホルダとを有し、前記第１ホルダは、前記本体を内部に収容する収容空間を有しており、前記本体は、間に液体であることが好ましい活性物質の貯蔵部を定めている複数の壁を有する第２ホルダのように構成されており、前記複数の壁の少なくとも１つは液体状態の前記薬剤によって湿らせられる材料、好ましくは合成薄膜で作られており、使用前の前記壁は被覆層によって密封されており、被覆層はそれを前記壁から剥離する剥離手段を備えており、前記剥離手段は前記第１ホルダを超えて延びている、組み立て品。
【請求項４０】
前記剥離手段はタブから成り、前記タブは前記被覆層にその縁領域の位置で接続されている、請求項３９に記載の組み立て品。
【請求項４１】
前記タブは前記被覆層に対して折り畳むことができる、請求項３９または４０に記載の組み立て品。
【請求項４２】
前記壁は前記第２ホルダの後壁を構成している、請求項３９、４０、または４１に記載の組み立て品。
【請求項４３】
前記タブは引き剥がせるように前記後壁の周辺縁に取り付けられている、請求項４２に記載の組み立て品。
【請求項４４】
前記タブは折り畳まれた状態で前記後壁から突き出している、請求項４３に記載の組み立て品。
【請求項４５】
前記第１ホルダは、好ましくは前記タブを備えている前記被覆層のために前記収容空間から外部へ延びている前記タブの通路を定めている、請求項３９から４４のいずれか１項に記載の組み立て品。
【請求項４６】
前記第２ホルダの前記複数の壁は透明または半透明である、請求項３９から４５のいずれか１項に記載の組み立て品。
【請求項４７】
本体の組み立て品であって、活性気体物質を放出する液体または固体状態の薬剤と、前記本体用の第１ホルダとを有し、前記第１ホルダは前記本体を内部に収容する収容空間を有しており、前記本体は間に液体であることが好ましい活性物質の貯蔵部を定めている複数の壁を有する第２ホルダのように構成されており、前記複数の壁の少なくとも１つは液体状態の前記薬剤によって湿らせられる材料で作られており、前記第２ホルダにはリップが備わっており、前記第１ホルダは前記収容空間と外部との間の通路を形成しており、前記リップは前記通路を通って延びており、前記通路は前記第２ホルダが貫通できるように寸法が定められている、組み立て品。
【請求項４８】
請求項１から２６のいずれか１項に記載の組み立て品の前記第２ホルダとして使用することが適しており、またそれを意図したホルダ。
【請求項４９】
本体の組み立て品であって、活性気体物質を放出する液体状態の薬剤を保持する本体もしくは固体状態の薬剤の本体と、前記本体用の第１ホルダとを有し、前記第１ホルダは前記本体を内部に収容する収容空間を有しており、前記第１ホルダは、互いに取り付けられ、間に前記収容空間の少なくとも一部を定めている２つの部分を有しており、前記２つの部分は異なる材料で作られている、組み立て品。
【請求項５０】
前記第１部分は形状を維持している固い材料で作られており、前記第２部分は合成材料で作られている、請求項４９に記載の組み立て品。
【請求項５１】
前記第１部分はガラスで作られている、請求項５０に記載の組み立て品。
【請求項５２】
前記第２部分は熱可塑性合成材料で作られている、請求項５０または５１に記載の組み立て品。
【請求項５３】
前記第２部分は、前記第１部分へ、スナップ作用によって接続する、弾性変形可能な接続手段を備えている、請求項４９から５２のいずれか１項に記載の組み立て品。
【請求項５４】
添付の明細書に記載および／または添付の図面に図示されている１つまたは２つ以上の特徴のある手段を備えた組み立て品。
【請求項５５】
添付の明細書に記載および／または添付の図面に図示されている１つまたは２つ以上の特徴のある手段を備えたホルダ。
【国際調査報告】
2007525271.tif 000033
2007525271.tif 000034
2007525271.tif 000035
2007525271.tif 000036
2007525271.tif 000037
2007525271.tif 000038
2007525271.tif 000039